(57)【要約】  本発明の空気調和装置は、圧縮機、室内熱交換器、絞り装置、及び室外熱交換器が冷媒配管を介して接続され、冷媒が循環する冷媒回路と、室内を空調する室内熱交換器に空気を送風する室内送風機と、室外温度と室内温度との関係に応じて室内送風機の風速が定められている風速データを記憶する制御装置と、を備え、制御装置は、実際の室外温度と実際の室内温度とを風速データに照合し、照合された風速データに基づいて室内送風機の風速を制御するものである。
2017119138.tif 000002
【特許請求の範囲】
【請求項１】
圧縮機、室内熱交換器、絞り装置、及び室外熱交換器が冷媒配管を介して接続され、冷媒が循環する冷媒回路と、
室内を空調する前記室内熱交換器に空気を送風する室内送風機と、
室外温度と室内温度との関係に応じて前記室内送風機の風速が定められている風速データを記憶する制御装置と、を備え、
前記制御装置は、
実際の室外温度と実際の室内温度とを前記風速データに照合し、照合された前記風速データに基づいて前記室内送風機の風速を制御する
空気調和装置。
【請求項２】
前記制御装置は、
冷房運転時においては前記実際の室内温度及び前記実際の室外温度が高いほど前記室内送風機の風速を増加させ、暖房運転時においては前記実際の室内温度及び前記実際の室外温度が高いほど前記室内送風機の風速を減少させる
請求項１に記載の空気調和装置。
【請求項３】
前記制御装置は、
運転開始時には前記室内送風機の風速を最大にし、風速を最大にした後に前記室内送風機の風速を制御する
請求項１又は２に記載の空気調和装置。
【請求項４】
前記室内送風機の風速を変更するモードと風速を固定するモードを切り替えるリモコン又はスイッチを備えた
請求項１〜３の何れか一項に記載の空気調和装置。
【請求項５】
前記制御装置は、
利用側ユニットの液管温度、利用側ユニットのガス管温度、又は、前記絞り装置の開度によって前記実際の室外温度を推定する
請求項１〜４の何れか一項に記載の空気調和装置。
【発明の詳細な説明】
【技術分野】
【０００１】
本発明は、室内送風機の風速を制御する空気調和装置に関するものである。
【背景技術】
【０００２】
従来の空気調和装置においては、室内機の内部に設けられた室内送風機の風速はユーザーが設定し、一旦、室内送風機の風速が設定されるとユーザーが再度風速の設定をやり直さない限り一定のままであった。自動で室内送風機の風速を変化させる空気調和装置も存在するが、当該空気調和装置は設定温度と室内温度との差によって室内送風機の風速を変化させるものである（例えば特許文献１参照）。そして、自動で室内送風機の風速を変化させる目的は、圧縮機等の停止がされにくくするため、又は室内変化温度を調整してユーザーの快適性の向上させるためであった。したがって、自動で室内送風機の風速を変化させる目的は、空気調和装置の消費電力を削減させるものではなかった。
【先行技術文献】
【特許文献】
【０００３】
【特許文献１】特開２０１０−１５９９０５号公報
【発明の概要】
【発明が解決しようとする課題】
【０００４】
空気調和装置においては、特に外気負荷が小さい場合、すなわち冷房運転では外気温度が低く、暖房運転では外気温度が高い環境では、室外機の圧縮機及びファンモータの消費電力は小さくなり、空気調和装置全体の消費電力は相対的に室内機の割合の方が高くなる。このような条件においては、室内送風機の風速は小さくした方が空気調和装置全体の効率は高くなる。しかしながら、特許文献１に記載の空気調和装置においては、外気温度の負荷の大小に拘わらず設定温度と室内温度との差によって送風機の風速を変化させるため、外気温度の負荷を考慮した効率的な空気調和装置の運転が行えないという問題点があった。【０００５】
本発明は、上記のような問題点を解決するためになされたものであり、外気温度の負荷の大小に応じて室内送風機の風速を変化させ、効率的な運転が行える空気調和装置を得ることを目的とする。
【課題を解決するための手段】
【０００６】
本発明に係る空気調和装置は、圧縮機、室内熱交換器、絞り装置、及び室外熱交換器が冷媒配管を介して接続され、冷媒が循環する冷媒回路と、室内を空調する前記室内熱交換器に空気を送風する室内送風機と、室外温度と室内温度との関係に応じて前記室内送風機の風速が定められている風速データを記憶する制御装置と、を備え、前記制御装置は、実際の室外温度と実際の室内温度とを前記風速データに照合し、照合された前記風速データに基づいて前記室内送風機の風速を制御するものである。
【発明の効果】
【０００７】
本発明によれば、制御装置は、実際の室外温度と実際の室内温度とを風速データに照合し、照合された風速データに基づいて室内送風機の風速を制御する。このようにすることで、外気温度の負荷の大小に応じて室内送風機の風速を変化させ、効率的な運転が行える空気調和装置を得ることができる。
【図面の簡単な説明】
【０００８】
【図１】本発明の実施の形態に係る空気調和装置の冷媒回路を示す概略構成図である。
【図２】本発明の実施の形態に係る空気調和装置の冷房運転時における室内温度及び室外温度と室内送風機の風速との関係を示す図である。
【図３】本発明の実施の形態に係る空気調和装置の暖房運転時における室内温度及び室外温度と室内送風機の風速との関係を示す図である。
【図４】本発明の実施の形態に係る空気調和装置の制御を示すフローチャートである。
【発明を実施するための形態】
【０００９】
以下、本発明の空気調和装置の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１０】
実施の形態．
［空気調和装置１００の構成］
図１は、本発明の実施の形態に係る空気調和装置の冷媒回路を示す概略構成図である。図１に示されるように、空気調和装置１００は、熱源側ユニット１、利用側ユニット２及びリモコン１９を備えている。熱源側ユニット１と利用側ユニット２とは、冷媒配管となる液接続配管１１及びガス接続配管１０を介して接続され、空気調和装置１００の冷媒回路が構成されている。
【００１１】
空気調和装置１００の冷媒回路内を循環する冷媒としては、例えば、Ｒ４１０Ａ、Ｒ４０７Ｃ、Ｒ４０４Ａ、Ｒ３２などのＨＦＣ冷媒、又はＲ１２３４ｙｆ／ｚｅなどのＨＦＯ冷媒、Ｒ２２、Ｒ１３４ａなどのＨＣＦＣ冷媒、もしくは二酸化炭素（ＣＯ２）、炭化水素、ヘリウム、プロパン等のような自然冷媒などがある。
【００１２】
［利用側ユニット２］
利用側ユニット２は、上述したように液接続配管１１及びガス接続配管１０を介して熱源側ユニット１に接続されて冷媒回路の一部を構成している。また、利用側ユニット２は、後述するリモコン１９と伝送線を介して接続されている。
【００１３】
次に、利用側ユニット２の詳細な構成について説明する。利用側ユニット２は冷媒回路の一部である室内側冷媒回路を構成しており、絞り装置６、室内熱交換器７、室内送風機９及び利用側制御装置１７を備えている。室内熱交換器７の近傍には、実際の室内温度を検知する室内温度検知器１４が設けられている。また、室内熱交換器７のガス側の配管には配管の温度を検知するガス管温度検知器１３が設けられ、室内熱交換器７の液側の配管には配管の温度を検知する液管温度検知器１２が設けられている。なお、利用側制御装置１７は、本発明における「制御装置」に相当する。
【００１４】
絞り装置６は、利用側ユニット２の液側に接続配置され、冷媒回路内を流れる冷媒の流量調整等を行う装置である。絞り装置６には、開度を検知する開度検知器１５が備えられている。
【００１５】
室内熱交換器７は、例えば伝熱管と多数のフィンとにより構成されるクロスフィン式のフィンアンドチューブ型熱交換器からなる。室内熱交換器７は、冷房運転時には冷媒の蒸発器として機能して室内の空気を冷却し、暖房運転時には冷媒の凝縮器として機能して室内の空気を加熱する。
【００１６】
室内送風機９は、室内熱交換器７に供給する空気の風速を可変することが可能なファンであり、例えば、ＤＣモータ（図示せず）によって駆動される遠心ファン、又は多翼ファン等から構成されている。室内送風機９は、利用側ユニット２内に室内空気を吸入し、室内熱交換器７内の冷媒との間で熱交換を行わせる。そして、室内送風機９は、熱交換を行った空気を供給空気として室内に供給する。
【００１７】
また、利用側ユニット２内には、液管温度検知器１２、ガス管温度検知器１３及び室内温度検知器１４が設けられ、これらは、例えばサーミスタにより構成されている。
【００１８】
利用側制御装置１７は、例えばマイコンにより構成され、液管温度検知器１２、ガス管温度検知器１３及び室内温度検知器１４から各種の温度を検知し、絞り装置６及び室内送風機９等を制御する。
【００１９】
［熱源側ユニット１］
次に、熱源側ユニット１の詳細な構成について説明する。熱源側ユニット１は、液接続配管１１及びガス接続配管１０を介して利用側ユニット２に接続されており、冷媒回路の一部を構成している。
【００２０】
熱源側ユニット１は、圧縮機３と、四方弁４と、室外熱交換器５と、室外送風機８と、熱源側制御装置１６とを備えている。室外熱交換器５の近傍には、実際の室外温度を検知する室外温度検知器１８が設けられている。
【００２１】
圧縮機３は、回転数（周波数）を可変させることが可能な装置であり、ここではインバータにより制御されるモータ（図示せず）によって駆動される容積式圧縮機を用いている。
【００２２】
四方弁４は、冷媒の流れの方向を切り換える機能を有する弁である。四方弁４は、冷房運転時には、図１の四方弁４の点線で示すように、圧縮機３の吐出側と室外熱交換器５のガス側とを接続するとともに、圧縮機３の吸入側とガス接続配管１０側とを接続するように冷媒流路を切り換える。このようにすることで、冷房運転時には、室外熱交換器５は、圧縮機３において圧縮される冷媒の凝縮器として機能し、室内熱交換器７は、室外熱交換器５において凝縮される冷媒の蒸発器として機能する。
【００２３】
一方、四方弁４は、暖房運転時には、図１の四方弁４の実線で示すように、圧縮機３の吐出側とガス接続配管１０側とを接続するとともに、圧縮機３の吸入側と室外熱交換器５のガス側とを接続するように冷媒流路を切り換える。このようにすることで、暖房運転時には、室内熱交換器７は、圧縮機３において圧縮される冷媒の凝縮器として機能し、室外熱交換器５は、室内熱交換器７において凝縮される冷媒の蒸発器として機能する。
【００２４】
室外熱交換器５は、伝熱管と多数のフィンとにより構成されるクロスフィン式のフィンアンドチューブ型の熱交換器からなる。室外熱交換器５は、ガス側の配管が四方弁４に接続され、液側の配管が液接続配管１１に接続され、冷房運転時には冷媒の凝縮器として機能し、暖房運転時には冷媒の蒸発器として機能する。
【００２５】
室外送風機８は、室外熱交換器５に供給する空気の風速を可変することが可能なファンであり、例えば、ＤＣモータ（図示せず）によって駆動されるプロペラファンから構成されている。室外送風機８は、熱源側ユニット１内に室外空気を吸入し、室外熱交換器５内の冷媒との間で熱交換した空気を室外に排出する機能を有する。
【００２６】
また、熱源側ユニット１内には、室外の温度を検知する室外温度検知器１８が設けられている。室外温度検知器１８は、例えばサーミスタにより構成されている。
【００２７】
熱源側制御装置１６は、例えばマイコンにより構成され、室外温度検知器１８から室外の温度を検知すると共に、利用側制御装置１７から運転指令を受信し、圧縮機３、四方弁４及び室外送風機８等を制御する。
【００２８】
［リモコン１９］
空気調和装置１００は、利用側制御装置１７を介して利用側ユニット２及び熱源側ユニット１を制御するリモコン１９を備えている。リモコン１９は空気調和装置１００を暖房運転、冷房運転等の運転を切り換えたり、温度設定又は風速設定等を行うものである。リモコン１９と利用側制御装置１７とは伝送線で結ばれ操作設定等の情報を送受信する。また、利用側制御装置１７と熱源側制御装置１６とは伝送線で結ばれ運転情報等を送受信する。
【００２９】
なお、本実施の形態において、リモコン１９と利用側制御装置１７とが伝送線で結ばれ、利用側制御装置１７と熱源側制御装置１６とが伝送線で結ばれた例を示したが、本発明はこれに限定されず、無線などにより情報を送受信してもよい。  
【００３０】
以上のように、熱源側ユニット１と利用側ユニット２とが液接続配管１１とガス接続配管１０を介して接続されて、空気調和装置１００の冷媒回路が構成されている。
【００３１】
なお、本実施の形態では、熱源側ユニット１及び利用側ユニット２が１台の場合の構成を例に説明するが、本発明はこれに限定されるものではなく、熱源側ユニット１及び利用側ユニット２が２台以上の複数であってもよい。また、熱源側ユニット１と利用側ユニット２のいずれもが複数のユニットで構成されている場合において、それぞれの容量の大きさが異なっても、又は全てが同一の容量でもよい。
【００３２】
［空気調和装置１００の基本運転動作］
続いて、本実施の形態の空気調和装置１００の各運転モードにおける動作を説明する。まず、冷房運転の動作について図１を用いて説明する。
【００３３】
冷房運転時は、四方弁４が図１の点線で示される状態、すなわち、圧縮機３の吐出側が室外熱交換器５のガス側に接続され、かつ圧縮機３の吸入側が室内熱交換器７のガス側に接続された状態となっている。
【００３４】
圧縮機３から吐出した高温高圧のガス冷媒は、四方弁４を経由して凝縮器である室外熱交換器５へ至り、室外送風機８の送風作用により冷媒は凝縮液化し、高圧低温の冷媒となる。凝縮液化した高圧低温の冷媒は、液接続配管１１を経由して利用側ユニット２に送られ、絞り装置６で減圧されて二相冷媒となって、室内熱交換器７へ送られる。減圧された二相冷媒は蒸発器である室内熱交換器７にて室内送風機９の送風作用により蒸発し、低圧のガス冷媒となる。そして、低圧のガス冷媒は、四方弁４を経由して、再び圧縮機３へ吸入される。
【００３５】
次に、暖房運転の動作について図１を用いて説明する。暖房運転時は、四方弁４が図１の実線で示される状態、すなわち、圧縮機３の吐出側が室内熱交換器７のガス側に接続され、かつ圧縮機３の吸入側が室外熱交換器５のガス側に接続された状態となっている。
【００３６】
圧縮機３から吐出した高温高圧のガス冷媒は、四方弁４及びガス接続配管１０を経由して利用側ユニット２へ送られる。そして、高温高圧のガス冷媒は、凝縮器である室内熱交換器７へ至り、室内送風機９の送風作用により冷媒は凝縮液化し、高圧低温の冷媒となる。凝縮液化した高圧低温の冷媒は、絞り装置６で減圧されて二相冷媒となって、液接続配管１１を経由して熱源側ユニット１に送られ、室外熱交換器５へ送られる。減圧された二相冷媒は蒸発器である室外熱交換器５にて、室外送風機８の送風作用により蒸発し、低圧のガス冷媒となる。そして、低圧ガス冷媒は、四方弁４を経由して、再び圧縮機３へ吸入される。
【００３７】
さらに、除霜運転の動作について図１を用いて説明する。除霜運転時は、四方弁４が図１の点線で示される状態、すなわち、圧縮機３の吐出側が室外熱交換器５のガス側に接続され、かつ圧縮機３の吸入側が室内熱交換器７のガス側に接続された状態となっている。
【００３８】
圧縮機３から吐出した高温高圧のガス冷媒は、四方弁４を経由して凝縮器である室外熱交換器５へ至り、室外熱交換器５で熱交換され、室外熱交換器５に生じた霜を融解する。そして、冷媒は、絞り装置６で減圧されて室内熱交換器７で熱交換をして室内空気を冷却する。その後、冷媒は、四方弁４を経由して、再び圧縮機３へ吸入される。
【００３９】
図２は、本発明の実施の形態に係る空気調和装置の冷房運転時における室内温度及び室外温度と室内送風機の風速との関係を示す図である。図２に示されるように、グラフの縦軸は、室内温度検知器１４により検知された室内温度を表し、グラフの横軸は室外温度検知器１８により検知された室外温度を表す。また、室内送風機９の風速は、例えば「最適風速１」〜「最適風速４」の４段階に分けられ、最適風速１が最も風速が弱く、最適風速２、最適風速３、最適風速４の順に大きくなっている。図２に示す室外温度と室内温度との関係に基づいて定められている室内送風機９の最適風速のデータは予め利用側制御装置１７に記憶されている。なお、室内送風機９の最適風速のデータは、本発明における「風速データ」に相当する。
【００４０】
ここで、図２に示されるように、室外温度の値がＴｏｕｔ１で、室内温度の値がＴｉｎの場合、室内送風機９の最適な風速は「最適風速１」となる。利用側制御装置１７は、室内送風機９の実際の風速と、最適風速１の風速とを比較し、実際の風速が最適風速１の風速の範囲に収まるように室内送風機９を制御する。
【００４１】
同様に、室外温度の値がＴｏｕｔ２で、室内温度の値がＴｉｎの場合、室内送風機９の最適な風速は「最適風速２」となる。利用側制御装置１７は、室内送風機９の実際の風速と、最適風速２の風速とを比較し、実際の風速が最適風速２の風速の範囲に収まるように室内送風機９を制御する。
【００４２】
同様に、室外温度の値がＴｏｕｔ３で、室内温度の値がＴｉｎの場合、室内送風機９の最適な風速は「最適風速３」となる。利用側制御装置１７は、室内送風機９の実際の風速と、最適風速３の風速とを比較し、実際の風速が最適風速３の風速の範囲に収まるように室内送風機９を制御する。
【００４３】
同様に、室外温度の値がＴｏｕｔ４で、室内温度の値がＴｉｎの場合、室内送風機９の最適な風速は「最適風速４」となる。利用側制御装置１７は、室内送風機９の実際の風速と、最適風速４の風速とを比較し、実際の風速が最適風速４の風速の範囲に収まるように室内送風機９を制御する。
【００４４】
このように、冷房運転時においては、利用側制御装置１７は、室内温度及び室外温度が高いほど圧縮機３と室外送風機８の回転数は上昇するため、冷房能力を高めるために室内送風機９の風速を増加させるように室内送風機９を制御する。なお、本実施の形態において最適風速として４段階に分けた例を示したが、本発明はこれに限定されず、室内送風機９の性能又は仕様に合わせて５段階以上に分けてもよいし、２〜３段階に分けてもよい。ここで、最適風速は、より細かく多段階に分けられた方が、効率良く室内送風機９の運転をすることができ、より大きく消費電力を削減できることはもちろんのことである。
【００４５】
図３は、本発明の実施の形態に係る空気調和装置の暖房運転時における室内温度及び室外温度と室内送風機の風速との関係を示す図である。図３に示されるように、グラフの縦軸は、室内温度検知器１４により検知された室内温度を表し、グラフの横軸は室外温度検知器１８により検知された室外温度を表す。また、室内送風機９の風速は、例えば「最適風速１」〜「最適風速４」の４段階に分けられ、最適風速１が最も風速が弱く、最適風速２、最適風速３、最適風速４の順に大きくなっている。図３に示す室外温度と室内温度との関係に基づいて定められている室内送風機９の最適風速のデータは予め利用側制御装置１７に記憶されている。なお、室内送風機９の最適風速のデータは、本発明における「風速データ」に相当する。
【００４６】
ここで、図３に示されるように、室外温度の値がＴｏｕｔ８で、室内温度の値がＴｉｎの場合、室内送風機９の最適な風速は「最適風速１」となる。利用側制御装置１７は、室内送風機９の実際の風速と、最適風速１の風速とを比較し、実際の風速が最適風速１の風速の範囲に収まるように室内送風機９を制御する。
【００４７】
同様に、室外温度の値がＴｏｕｔ７で、室内温度の値がＴｉｎの場合、室内送風機９の最適な風速は「最適風速２」となる。利用側制御装置１７は、室内送風機９の実際の風速と、最適風速２の風速とを比較し、実際の風速が最適風速２の風速の範囲に収まるように室内送風機９を制御する。
【００４８】
同様に、室外温度の値がＴｏｕｔ６で、室内温度の値がＴｉｎの場合、室内送風機９の最適な風速は「最適風速３」となる。利用側制御装置１７は、室内送風機９の実際の風速と、最適風速３の風速とを比較し、実際の風速が最適風速３の風速の範囲に収まるように室内送風機９を制御する。
【００４９】
同様に、室外温度の値がＴｏｕｔ５で、室内温度の値がＴｉｎの場合、室内送風機９の最適な風速は「最適風速４」となる。利用側制御装置１７は、室内送風機９の実際の風速と、最適風速４の風速とを比較し、実際の風速が最適風速４の風速の範囲に収まるように室内送風機９を制御する。
【００５０】
このように、暖房運転時においては、利用側制御装置１７は、室内温度及び室外温度が低いほど圧縮機３と室外送風機８の回転数は上昇するため、暖房能力を高めるために室内送風機９の風速を増加させるように室内送風機９を制御する。なお、本実施の形態において最適風速として４段階に分けた例を示したが、本発明はこれに限定されず、室内送風機９の性能又は仕様に合わせて５段階以上に分けてもよいし、２〜３段階に分けてもよい。ここで、最適風速はより細かく多段階に分けた方が、効率良く室内送風機９の運転をすることができ、より大きく消費電力を削減できることはもちろんのことである。
【００５１】
図４は、本発明の実施の形態に係る空気調和装置の制御を示すフローチャートである。以下、図１を参照しながら図２の各ステップに基づいて空気調和装置１００の利用側制御装置１７の制御動作について説明する。
【００５２】
（ステップＳ１）
利用側制御装置１７は、ユーザーから運転の開始の指令を受け、空気調和装置１００の運転を開始する。その後、利用側制御装置１７は、（ステップＳ２）へ移行する。
【００５３】
（ステップＳ２）
利用側制御装置１７は、室内送風機９を最大風速で運転する。その後、利用側制御装置１７は、（ステップＳ３）へ移行する。
【００５４】
（ステップＳ３）
利用側制御装置１７は、室外温度検知器１８を介して実際の室外温度を検知すると共に、室内温度検知器１４から実際の室内温度を検知する。その後、利用側制御装置１７は、（ステップＳ４）へ移行する。
【００５５】
（ステップＳ４）
利用側制御装置１７は、利用側制御装置１７に予め記憶されている室外温度と室内温度との関係に基づいて定められている室内送風機９の最適風速のデータと、実際の室内温度及び実際の室外温度を照合する。そして、実際の室内温度と実際の室外温度とから室内送風機９の最適風速を計算する。なお、ここで言う最適風速とは冷房運転又は暖房運転において、各室内温度と室外温度において空気調和装置１００のシステム効率が最大となる風速を示す。その後、利用側制御装置１７は、（ステップＳ５）へ移行する。
【００５６】
（ステップＳ５）
利用側制御装置１７は、室内送風機９の実際の風速が最適風速の範囲内であるかを判断する。室内送風機９の実際の風速が最適風速の範囲内である場合は、利用側制御装置１７は、（ステップＳ７）へ移行し、それ以外は（ステップＳ６）へ移行する。
【００５７】
（ステップＳ６）
利用側制御装置１７は、室内送風機９の実際の風速が最適風速の範囲に収まるように室内送風機９の風速を制御する。その後、利用側制御装置１７は、（ステップＳ３）へ移行する。
【００５８】
以上の各ステップで示したように、利用側制御装置１７は、利用側制御装置１７に予め記憶されている室外温度と室内温度との関係に基づいて定められている室内送風機９の最適風速のデータと、実際の室内温度及び実際の室外温度を照合する。そして、当該照合結果に基づいて利用側制御装置１７は、室内送風機９の風速を最適風速の範囲に収まるように制御する。このようにすることで、外気の負荷に応じて空気調和装置１００のシステム効率を向上させることができる。
【００５９】
ここで、仮に室外温度及び室内温度によって室内送風機９の風速を制御して風速を低下させた場合、空気調和装置１００のシステム効率は向上しても冷房能力又は暖房能力のいずれもが若干低下してしまう。ユーザーによっては、システム効率よりも冷房能力及び暖房能力を優先させたい場合もある。このため、リモコン１９、又は空気調和装置１００に設けられているスイッチ（図示省略）を用いて、システム効率を優先する風速自動モードと冷暖房能力を優先する風速固定モードを切り替えることができるようにする。
【００６０】
また、空気調和装置１００に複数台の利用側ユニット２が接続されているシステム構成の場合、室内温度は各部屋によって異なるが、この場合は、各利用側ユニット２において個別に室内送風機の風速を制御する。このようにすることで、各部屋のユーザーの趣向に合わせて室内の快適性を確保することができる。
【００６１】
以上、説明した空気調和装置１００のシステム構成は空冷式熱源ユニットのシステムの例であるが水冷式の熱源ユニットのシステムについても本実施の形態を適用できる。水冷式の熱源ユニットのシステムにおいては、室外温度の代わりに室外熱交換器５の入口の水温を用いてもよい。
【００６２】
なお、本実施の形態において、室外温度を室外温度検知器１８によって検知する例を示したが、本発明はこれに限定されない。例えば、実際の室外温度は、液管温度検知器１２により検知された液管温度、ガス管温度検知器１３により検知されたガス管温度、又は開度検知器１５により検知された絞り装置６の開度によって推定してもよい。このようにすることで、熱源側ユニット１の熱源側制御装置１６から情報を受信する必要がなくなるため、熱源側ユニット１との通信負荷を削減することができる。
【００６３】
さらに、室外温度は、圧縮機３の回転数、室外送風機８の回転数、冷媒配管温度、冷媒圧力等によっても推定してもよい。
【００６４】
［実施の形態の効果］
以上のことから、本実施の形態によれば、空気調和装置１００は、圧縮機３、室内熱交換器７、絞り装置６、及び室外熱交換器５が冷媒配管を介して接続され、冷媒が循環する冷媒回路と、室内熱交換器７に空気を送風する室内送風機９と、室外温度と室内温度との関係に応じて室内送風機９の風速が定められている風速データを記憶する利用側制御装置１７と、を備え、利用側制御装置１７は、実際の室外温度と実際の室内温度とを風速データに照合し、照合された風速データに基づいて室内送風機９の風速を制御する。
このようにすることで、外気負荷の大小に応じて室内送風機９の風速を変化させ、効率的な運転が行える空気調和装置１００を得ることができる。
【００６５】
また、利用側制御装置１７は、冷房運転時においては実際の室内温度及び実際の室外温度が高いほど室内送風機９の風速を増加させ、暖房運転時においては実際の室内温度及び実際の室外温度が高いほど室内送風機９の風速を減少させる。このように実際の室内空気と実際の室外空気の負荷に応じて室内送風機９の風速を変化させることで、空気調和装置１００のシステム効率を向上させることができる。
【００６６】
また、利用側制御装置１７は、空気調和装置１００の運転開始時には室内送風機９の風速を最大にし、風速を最大にした後に室内送風機９の風速を制御する。このようにすることで、空気調和装置１００の運転開始時に迅速にユーザーが求める室温を実現することができる。
【００６７】
また、空気調和装置１００は、室内送風機９の風速を変更するモードと風速を固定するモードを切り替えるリモコン１９又はスイッチを備えている。このようにすることで、ユーザーがシステム効率よりも冷房能力及び暖房能力を優先させたい場合にも対応することができる。
【００６８】
また、利用側制御装置１７は、利用側ユニット２の液管温度、利用側ユニット２のガス管温度、又は、絞り装置６の開度によって実際の室外温度を推定する。このようにすることで、熱源側ユニット１の熱源側制御装置１６から情報を受信する必要がなくなるため、熱源側ユニット１との通信負荷を削減することができる。
【符号の説明】
【００６９】
１  熱源側ユニット、２  利用側ユニット、３  圧縮機、４  四方弁、５  室外熱交換器、６  絞り装置、７  室内熱交換器、８  室外送送風機、９  室内送風機、１０  ガス接続配管、１１  液接続配管、１２  液管温度検知器、１３  ガス管温度検知器、１４  室内温度検知器、１５  開度検知器、１６  熱源側制御装置、１７  利用側制御装置、１８  室外温度検知器、１９  リモコン、１００  空気調和装置。
【図１】
2017119138.tif 000003
【図２】
2017119138.tif 000004
【図３】
2017119138.tif 000005
【図４】
2017119138.tif 000006
【手続補正書】
【提出日】平成30年4月19日(2018.4.19)
【手続補正１】
【補正対象書類名】明細書
【補正対象項目名】０００６
【補正方法】変更
【補正の内容】
【０００６】
本発明に係る空気調和装置は、圧縮機、室内熱交換器、絞り装置、及び室外熱交換器が冷媒配管を介して接続され、冷媒が循環する冷媒回路と、室内を空調する前記室内熱交換器に空気を送風する室内送風機と、室外温度と室内温度との関係に応じて多段階に前記室内送風機の風速の範囲が定められている風速データを記憶する制御装置と、を備え、前記制御装置は、実際の室外温度と実際の室内温度とを前記風速の範囲に照合し、照合された前記風速の範囲に基づいて前記室内送風機の風速を制御するものである。
【手続補正２】
【補正対象書類名】特許請求の範囲
【補正対象項目名】全文
【補正方法】変更
【補正の内容】
【特許請求の範囲】
【請求項１】
圧縮機、室内熱交換器、絞り装置、及び室外熱交換器が冷媒配管を介して接続され、冷媒が循環する冷媒回路と、
室内を空調する前記室内熱交換器に空気を送風する室内送風機と、
室外温度と室内温度との関係に応じて多段階に前記室内送風機の風速の範囲が定められている風速データを記憶する制御装置と、を備え、
前記制御装置は、
実際の室外温度と実際の室内温度とを前記風速の範囲に照合し、照合された前記風速の範囲に基づいて前記室内送風機の風速を制御する
空気調和装置。
【請求項２】
前記制御装置は、
冷房運転時においては前記実際の室内温度及び前記実際の室外温度が高いほど前記圧縮機の回転数が上昇するため前記室内送風機の風速を増加させ、暖房運転時においては前記実際の室内温度及び前記実際の室外温度が高いほど前記圧縮機の回転数が低下するため前記室内送風機の風速を減少させる
請求項１に記載の空気調和装置。
【請求項３】
前記制御装置は、
運転開始時には前記室内送風機の風速を最大にし、風速を最大にした後に前記室内送風機の風速を制御する
請求項１又は２に記載の空気調和装置。
【請求項４】
前記室内送風機の風速を変更するモードと風速を固定するモードを切り替えるリモコン又はスイッチを備えた
請求項１〜３の何れか一項に記載の空気調和装置。
【請求項５】
前記制御装置は、
利用側ユニットの液管温度、利用側ユニットのガス管温度、又は、前記絞り装置の開度によって前記実際の室外温度を推定する
請求項１〜４の何れか一項に記載の空気調和装置。
【請求項６】
前記制御装置は、
前記圧縮機の回転数、前記冷媒配管の温度、又は冷媒の圧力によって前記実際の室外温度を推定する
請求項１〜４の何れか一項に記載の空気調和装置。
【請求項７】
室外と熱交換する前記室外熱交換器に空気を送風する室外送風機を更に備え、
前記制御装置は、
前記室外送風機の回転数によって前記実際の室外温度を推定する
請求項１〜４の何れか一項に記載の空気調和装置。
【国際調査報告】
2017119138.tif 000007
2017119138.tif 000008
2017119138.tif 000009
2017119138.tif 000010